(57)【要約】【課題】複数の表示装置により、緊急を報知する動作を遅延なく実行させることが可能な報知システム、緊急報知方法、及び、表示装置を提供する。【解決手段】報知システム１０は、画像を投射する投射部３、及び音声を出力するスピーカー１２７をそれぞれ有する複数のプロジェクター１１と、複数のプロジェクター１１に通信ネットワーク１７を介して接続されたＩＰルーティングサーバー２とを備え、ＩＰルーティングサーバー２は、緊急報知の要否を判定する緊急判定部２１Ｄと、緊急判定部２１Ｄにより緊急報知を要すると判定された場合に、複数のプロジェクター１１のうち緊急報知を行うプロジェクター１１を選択し、選択されたプロジェクター１１に報知音声を出力させる音声出力制御部２１Ｅとを備える。【選択図】図１
2013034050.tif 000002
【特許請求の範囲】
【請求項１】
画像を表示する表示手段、及び音声を出力する音声出力手段をそれぞれ有する複数の表示装置と、
前記複数の表示装置に通信回線を介して接続された制御装置とを備え、
前記制御装置は、
緊急報知の要否を判定する判定手段と、
前記判定手段により緊急報知を要すると判定された場合に、前記複数の表示装置のうち緊急報知を行う表示装置を選択し、選択された前記表示装置に報知音声を出力させる音声出力制御手段と、を備えること、
を特徴とする報知システム。
【請求項２】
前記制御装置は、前記複数の表示装置の動作状態を検出する動作状態検出手段を備え、
前記音声出力制御手段は、前記動作状態検出手段の検出結果に基づいて、停止中の前記表示装置と、動作中の前記表示装置とを区別することを特徴とする請求項１記載の報知システム。
【請求項３】
前記音声出力制御手段は、停止中の前記表示装置を起動させて、前記報知音声を出力させることを特徴とする請求項２記載の報知システム。
【請求項４】
前記音声出力制御手段は、動作中の前記表示装置のみを対象として、前記報知音声を出力させることを特徴とする請求項２記載の報知システム。
【請求項５】
前記表示装置は、前記制御装置の制御により報知音声を出力する際に、緊急報知用の画像を表示することを特徴とする請求項１から４のいずれかに記載の報知システム。
【請求項６】
前記表示装置は、予め緊急報知用の表示に用いる画像を記憶する画像記憶手段を備え、前記制御装置の制御により報知音声を出力する際に、前記画像記憶手段に記憶された画像を読み出して表示することを特徴とする請求項５記載の報知システム。
【請求項７】
画像を表示する表示手段、及び音声を出力する音声出力手段をそれぞれ有する複数の表示装置に対し、通信回線を介して制御装置を接続し、
前記制御装置により、
緊急報知の要否を判定し、緊急報知を要すると判定した場合に、前記複数の表示装置のうち緊急通知を行う表示装置を選択し、選択された前記表示装置に報知音声を出力させること、
を特徴とする緊急報知方法。
【請求項８】
画像を表示する表示手段、及び音声を出力する音声出力手段とを備えた表示装置であって、他の表示装置と通信回線を介して接続され、
緊急報知の要否を判定する判定手段と、
前記判定手段により緊急報知を要すると判定された場合に、当該表示装置及び前記他の表示装置を含む複数表示装置のうち緊急報知を行う表示装置を選択し、選択された前記表示装置に報知音声を出力させる音声出力制御手段と、
を備えることを特徴とする表示装置。
【発明の詳細な説明】
【技術分野】
【０００１】
本発明は、報知システム、緊急報知方法、及び、表示装置に関する。
【背景技術】
【０００２】
従来、緊急時に、複数の表示装置を利用して緊急警報を表示するシステムが知られている（例えば、特許文献１参照）。特許文献１記載のシステムでは、緊急警報放送を受信する受信装置が、表示装置に対して有線ネットワークを介してオーディオ／ビデオ信号を送出することで、音声及び表示による警報を出力する。
【先行技術文献】
【特許文献】
【０００３】
【特許文献１】特開２０１０−２４５８７２号公報
【発明の概要】
【発明が解決しようとする課題】
【０００４】
特許文献１に記載のように、有線ネットワークを利用すると多数の表示装置を容易に接続できるという利点がある一方、信号の伝送に遅延が発生する可能性があった。
本発明は、上記の課題に鑑み、複数の表示装置により、緊急を報知する動作を遅延なく実行させることが可能な報知システム、緊急報知方法、及び、表示装置を提供することを目的とする。
【課題を解決するための手段】
【０００５】
上記課題を解決するため、本発明は、画像を表示する表示手段、及び音声を出力する音声出力手段をそれぞれ有する複数の表示装置と、前記複数の表示装置に通信回線を介して接続された制御装置とを備え、前記制御装置は、緊急報知の要否を判定する判定手段と、前記判定手段により緊急報知を要すると判定された場合に、前記複数の表示装置のうち緊急報知を行う表示装置を選択し、選択された前記表示装置に報知音声を出力させる音声出力制御手段と、を備えることを特徴とする。
本発明によれば、通信回線を介して表示装置に接続された制御装置が、表示装置のうち緊急報知を行う表示装置を選択し、選択された表示装置に報知音声を出力させるので、例えば報知音声を出力させる表示装置の数を制限する等の制御を行うことによって、各表示装置に緊急を報知する動作を遅延なく実行させることができる。
【０００６】
また、本発明は、上記報知システムにおいて、前記制御装置は、前記複数の表示装置の動作状態を検出する動作状態検出手段を備え、前記音声出力制御手段は、前記動作状態検出手段の検出結果に基づいて、停止中の前記表示装置と、動作中の前記表示装置とを区別することを特徴とする。
本発明によれば、停止中の表示装置と動作中の表示装置とを区別して、報知音声を出力させる表示装置を効率よく選択することができ、システム全体の効率向上を図ることができる。
【０００７】
また、本発明は、上記報知システムにおいて、前記音声出力制御手段は、停止中の前記表示装置を起動させて、前記報知音声を出力させることを特徴とする。
本発明によれば、停止中の表示装置を速やかに起動させて、報知音声を出力させることができる。
【０００８】
また、本発明は、上記報知システムにおいて、前記音声出力制御手段は、動作中の前記表示装置のみを対象として、前記報知音声を出力させることを特徴とする。
本発明によれば、停止中の表示装置を除外することで効率的に表示装置を制御して、速やかに報知音声を出力させることができる。
【０００９】
また、本発明は、上記報知システムにおいて、前記表示装置は、前記制御装置の制御により報知音声を出力する際に、緊急報知用の画像を表示することを特徴とする。
本発明によれば、表示装置が報知音声を出力するとともに、画像を表示して効果的に報知を行うことができる。
【００１０】
さらに、本発明は、上記報知システムにおいて、前記表示装置は、予め緊急報知用の表示に用いる画像を記憶する画像記憶手段を備え、前記制御装置の制御により報知音声を出力する際に、前記画像記憶手段に記憶された画像を読み出して表示することを特徴とする。
本発明によれば、制御装置から画像等を表示装置に送信することなく、表示を用いて効果的に報知を行うことができる。
【００１１】
また、上記課題を解決するため、本発明は、画像を表示する表示手段、及び音声を出力する音声出力手段をそれぞれ有する複数の表示装置に対し、通信回線を介して制御装置を接続し、前記制御装置により、緊急報知の要否を判定し、緊急報知を要すると判定した場合に、前記複数の表示装置のうち緊急報知を行う表示装置を選択し、選択された前記表示装置に報知音声を出力させることを特徴とする。
本発明によれば、通信回線を介して表示装置に接続された制御装置が、表示装置緊急報知を行う表示装置を選択し、選択された表示装置に報知音声を出力させるので、例えば報知音声を出力させる表示装置の数を制限する等の制御を行うことによって、各表示装置に緊急を報知する動作を遅延なく実行させることができる。
【００１２】
また、上記課題を解決するため、本発明は、画像を表示する表示手段、及び音声を出力する音声出力手段を備えた表示装置であって、他の表示装置と通信回線を介して接続され、緊急報知の要否を判定する判定手段と、前記判定手段により緊急報知を要すると判定された場合に、当該表示装置及び前記他の表示装置を含む複数の前記表示装置のうち緊急報知を行う表示装置を選択し、選択された前記表示装置に報知音声を出力させる音声出力制御手段とを備えることを特徴とする。
本発明によれば、通信回線を介して他の表示装置に接続された表示装置が、当該表示装置及び他の表示装置の中から選択された表示装置に報知音声を出力させるので、表示装置自身の制御によって報知を行うことができる。また、例えば報知音声を出力させる表示装置の数を制限する等の制御を行うことによって、緊急を報知する動作を遅延なく実行させることができる。
【発明の効果】
【００１３】
本発明によれば、表示装置に制御装置を接続したシステムを効率よく制御して、表示装置により、緊急を報知する動作を遅延なく実行させることができる。
【図面の簡単な説明】
【００１４】
【図１】本発明を適用した実施形態に係る報知システムの概略構成及び表示態様の例を示す図である。
【図２】報知システムを構成する各装置の機能的構成を示すブロック図である。
【図３】報知システムの動作を示すフローチャートであり、（Ａ）はＩＰ電話機の動作を示し、（Ｂ）はＩＰルーティングサーバーの動作を示し、（Ｃ）はプロジェクターの動作を示し、（Ｄ）は音声出力装置の動作を示す。
【発明を実施するための形態】
【００１５】
以下、図面を参照して本発明の実施形態について説明する。
図１は、本発明を適用した報知システム１０の概略構成を示す図である。報知システム１０は、通信ネットワーク１７（通信回線）に接続されたＩＰルーティングサーバー２（制御装置）を備えて構成される。通信ネットワーク１７には複数のＩＰ電話機５８が接続され、ＩＰルーティングサーバー２は、ＩＰ電話機５８との間でＩＰ（Internet  Protocol）に従って制御データ及び音声データを送受信する。ＩＰルーティングサーバー２は、各ＩＰ電話機５８が指定した通話相手先の機器に対して呼び出し動作を行い、この呼び出し動作への応答を検知して、通話相手先とＩＰ電話機５８との通信を確立して、ＩＰ電話機５８と発信先との間の通話を可能とする。ＩＰルーティングサーバー２が送信する制御データ及び音声データは全てＩＰに準拠したパケットとして送受信され、ＩＰルーティングサーバー２は、パケットを送信する相手先のＩＰアドレスに基づいて、通信ネットワーク１７におけるルーティングを実行する。
【００１６】
通信ネットワーク１７には、複数の電話機５６を備えたＩＰ−ＰＢＸ５７が接続されている。ＩＰ−ＰＢＸ５７は外部のインターネット５３にも接続可能に構成され、電話機５６が外部のＩＰ電話機またはＰＣ（Personal Computer）５４等との間でＩＰ通話を行う場合には、電話機５６の操作に応答して、インターネット５３を介して各電話機５６が指定した通話相手先の機器に対して呼び出し動作を行い、この呼び出し動作への応答を検知して、通話相手先と電話機５６との通信を確立して、電話機５６と通信相手先との間の通話を可能とする。ＩＰ−ＰＢＸ５７は、回線交換方式による電話通信を行う仕様の電話機５６が発する発呼信号や通信相手先の電話番号と、制御データのパケットとを変換する変換機能を有する。また、ＩＰ−ＰＢＸ５７は、電話機５６が入出力する音声と音声データのパケットとを変換する変換機能を備えている。
【００１７】
ＩＰ電話機５８は、ＩＰ−ＰＢＸ５７を介して電話機５６との間で内線通話を実行することができ、また、ＩＰ−ＰＢＸ５７を介してインターネット５３にアクセスすることで、ＰＣ５４やＩＰ電話機等の外部の機器との間で音声通話が可能である。また、通信ネットワーク１７には公衆回線網５１が接続され、ＩＰルーティングサーバー２は、公衆回線網５１を介して接続される外部の各種機器（図示略）との間で通信を行うことが可能である。
【００１８】
通信ネットワーク１７は、例えば、一つの建物のフロアー、建物、地域等を単位として敷設されたＬＡＮ、ＷＡＮ等の広帯域通信ネットワークであり、例えば、Ethernet（登録商標）規格に準拠した通信方式により各種データを送受信する。通信ネットワーク１７は、図示しないサーバー、ハブ、スイッチ、ルーター等の通信装置を有し、有線ケーブル又は無線通信回線からなる通信路によりＩＰルーティングサーバー２を含む各種装置を接続する。ＩＰルーティングサーバー２は、通信ネットワーク１７を構成する各種通信装置と通信路との組み合わせに基づき、例えばＩＰ電話機５８が送受信するパケットのルーティングを行う。
【００１９】
また、通信ネットワーク１７には、複数のプロジェクター１１（表示装置）及び音声出力装置１４が接続される。
通信ネットワーク１７が敷設されたエリアには複数の室があり、このうち複数の室にはプロジェクター１１が設置されている。図１に示す設置室Ａにはプロジェクター１１及び音声出力装置１４が設置され、設置室Ｂにはプロジェクター１１が設置されている。プロジェクター１１は、設置室Ａ、Ｂの壁面に設置された投射面としてのスクリーンＳＣに対して画像を投射（表示）する表示装置であり、音声を出力するスピーカー１２７を備えている。また、音声出力装置１４は、設置室Ａにおいて音声を出力するスピーカー１４４を備える。プロジェクター１１及び音声出力装置１４には固有のＩＰアドレスが付与されており、ＩＰルーティングサーバー２は、例えばＷＳＤ（Web services on devices）プロトコルによりプロジェクター１１及び音声出力装置１４との間の通信を実行する。
なお、プロジェクター１１、音声出力装置１４の数及びこれらが設置された設置室の数については任意である。
【００２０】
プロジェクター１１は、通常時は外部の画像供給装置（図示略）から入力される静止画像や映像を表示するものであるが、ＩＰルーティングサーバー２から緊急報知を指示するコマンドを受信した場合には、緊急報知の音声をスピーカー１２７から出力し、さらに緊急報知の画像をスクリーンＳＣに投射する。また、音声出力装置１４は、通信ネットワーク１７を介してＩＰルーティングサーバー２から緊急報知を指示するコマンドを受信した場合には、緊急報知の音声をスピーカー１４４から出力する。
これにより、例えば、事業所や学校等を含む施設内に設置された複数のプロジェクター１１から一斉に音声及び画像（動画像を含む）による報知を行える。緊急報知が指示される具体的な例としては、ライン加工を行う生産あるいは加工工場において、ラインにおける複数の工程に影響を与える仕様変更や不具合が発生した場合に、ラインの各工程の作業者及び担当者に対して報知を行うケースが挙げられる。この場合、複数のプロジェクター１１から一斉に音声及び画像による報知を行うことで、各工程の作業者、担当者に対して速やかに報知を行うとともに、音声および画像によって詳細な情報を伝えることができ、報知が間に合わないことによる時間の損失、生産ラインでの無駄な製造による損失を回避できる。また、別の具体例として、学校等の施設において、廊下やロビー等の共有空間にいる人だけでなく、閉鎖された室内にいる人に対しても報知を行うケースが挙げられる。このケースでは、通常の一斉放送が届かない、あるいは届きにくい場所にいる人に対しても速やかに報知を行うとともに、音声および画像によって詳細な情報を伝えることができる。
【００２１】
このように、報知システム１０は、ＩＰルーティングサーバー２、プロジェクター１１、音声出力装置１４、ＩＰ−ＰＢＸ５７、ＩＰ電話機５８等の各種装置を、通信ネットワーク１７を介して相互にデータ通信可能に接続して構成される。
【００２２】
図２は、報知システム１０を構成するＩＰルーティングサーバー２、プロジェクター１１及び音声出力装置１４の機能的構成を示すブロック図である。
ＩＰルーティングサーバー２は、例えば一般的なＰＣと同様のアーキテクチャにより構成されている。ＩＰルーティングサーバー２は、ＣＰＵ、ＲＯＭ、ＲＡＭ等により構成され、各部を制御する制御部２１を備える。制御部２１には、磁気記録媒体や半導体記憶素子を備えて構成される記憶部２２が接続され、制御部２１は記憶部２２に記憶された制御プログラム２２Ａを読み出して実行することにより、ＩＰルーティングサーバー２の各種機能を実現する。
制御部２１には、また、キーボードやマウス等の入力デバイスを有する入力部２３が接続されている。入力部２３は、各入力デバイスに対する操作を検出して操作内容を制御部２１に出力する。また、制御部２１には、制御部２１の制御に従って、制御部２１が処理する画像や処理結果等をモニター（図示略）に表示する表示部２５が接続されている。
【００２３】
また、制御部２１には、通信部２６が接続されている。通信部２６は、プロジェクター１１の通信部４７と通信可能に接続され、通信部４７との間で各種データを送受信する。通信部２６は、制御部２１の制御に従って、プロジェクター１１に対して投射開始を指示する制御データを送信し、プロジェクター１１から送信される制御データを受信する。
制御部２１は、制御プログラム２２Ａを実行することで通信制御部２１Ａ、ルーティングコントロール部２１Ｂ、動作状態監視部２１Ｃ、緊急判定部２１Ｄ、及び音声出力制御部２１Ｅとして機能する。
【００２４】
通信制御部２１Ａは、通信ネットワーク１７を介して送受信するパケットの生成、受信したデータを転送するためのパケットの変換（再構成）、送信タイミングの制御等の各種処理のほか、通信ネットワーク１７を介して、ＩＰ−ＰＢＸ５７やＩＰ電話機５８との間でパケットを送受信し、プロジェクター１１及び音声出力装置１４へパケットの送信を行うなど、通信ネットワーク１７を介した各種通信制御を実行する。
【００２５】
ルーティングコントロール部２１Ｂは、いわゆるルーターの機能を実現するものであり、通信ネットワーク１７上を送受信されるパケットのルーティングを行い、通信ネットワーク１７に接続された機器から別の機器へパケットが送信された際に、パケットのヘッダーに含まれる宛先ＩＰアドレスや宛先ＭＡＣ（Media Access Control）アドレスを抽出し、記憶部２２に記憶されているルーティングテーブル（図示略）に基づいてルーティングを行う。
【００２６】
記憶部２２には、通信ネットワーク１７に接続され、ＩＰルーティングサーバー２との通信が可能な装置（デバイス）のＩＰアドレスが、デバイスの種類、名称、ＭＡＣアドレス等に対応づけてデバイスＩＰアドレス２２Ｂとして記憶されている。ルーティングコントロール部２１Ｂは、ルーティングを行う際に、デバイスＩＰアドレス２２Ｂを参照して、ＭＡＣアドレスからＩＰアドレスへ、及び逆方向のアドレス変換処理等を実行する。
【００２７】
また、記憶部２２には、通信ネットワーク１７に接続され、ＩＰルーティングサーバー２との通信が可能なデバイスのうち、少なくともプロジェクター１１及び音声出力装置１４が動作中であるか停止中であるかを示す情報を含む動作状態データ２２Ｅが記憶されている。プロジェクター１１及び音声出力装置１４は、いずれも緊急報知の音声を出力する装置であり、動作状態データ２２Ｅは、緊急報知の音声を出力する際に、各デバイスが動作中か否かを判別し、動作中のデバイスのみを選択したり、停止中のデバイスを選択したりするために用いられる。
動作状態監視部２１Ｃ（動作状態検出手段）は、各プロジェクター１１及び各音声出力装置１４について、動作中か停止中かを所定時間毎に検出し、検出結果に基づいて、動作状態データ２２Ｅを更新する。
【００２８】
緊急判定部２１Ｄ（判定手段）は、通信ネットワーク１７を介して通信部２６が受信したパケットが、緊急報知の音声の出力を指示するコマンドであるか否かを判別する。このコマンドは、例えば、ＩＰ電話機５８の操作により送信される。具体的には、ＩＰ電話機５８の受話器を上げて、ＩＰ電話機５８が備えるプッシュボタン（図示略）により「＃１」と入力することで、ＩＰ電話機５８が、予め設定された送信先であるＩＰルーティングサーバー２に対し、緊急用のコマンドを送信する。緊急判定部２１Ｄは、このコマンドを含むパケットを受信すると、緊急報知の音声の出力が必要であると判定する。
ここで、緊急報知の音声の出力に関し、緊急性の違いに対応して複数段階の優先度が予め設定されている。例えば、最も優先度が高い（緊急性が高い）場合には、全てのプロジェクター１１及び音声出力装置１４から音声が出力され、優先度が低い場合には一部のプロジェクター１１及び音声出力装置１４のみから音声が出力される。記憶部２２には、それぞれの優先度においてどのプロジェクター１１及び音声出力装置１４から音声を出力するかを定めた優先度データ２２Ｃが記憶されている。優先度データ２２Ｃは、各プロジェクター１１及び各音声出力装置１４と優先度とを対応付けるデータである。
【００２９】
ＩＰ電話機５８がコマンドを送信する操作は優先度を指定する操作を兼ねており、例えば、ＩＰ電話機５８のプッシュボタンにより「＃１」と入力された場合には最も高い優先度を示すコマンドが送信され、「＃２」と入力された場合には２番目に高い優先度を示すコマンドが送信される。緊急判定部２１Ｄは、通信部２６により受信したコマンドに基づき緊急報知の要否を判定し、さらに優先度を判定する。
【００３０】
さらに、記憶部２２には緊急用ルーティングテーブル２２Ｄが記憶されている。緊急用ルーティングテーブル２２Ｄは、優先度データ２２Ｃによって各優先度で音声を出力するプロジェクター１１及び音声出力装置１４に対してパケットを送信する際に、ルーティングコントロール部２１Ｂがルーティングに用いるルーティングテーブルである。緊急用ルーティングテーブル２２Ｄには、各優先度の場合に緊急報知の音声を出力するプロジェクター１１及び音声出力装置１４へのルーティングを行うための情報が含まれており、緊急報知の対象外である他の装置（ＩＰ−ＰＢＸ５７やＩＰ電話機５８）や、当該優先度において音声を出力しないプロジェクター１１及び音声出力装置１４へのルーティングに関する情報は含まれない。
【００３１】
ルーティングコントロール部２１Ｂは、緊急判定部２１Ｄが優先度を判定した場合に、判定された優先度に対応するプロジェクター１１及び音声出力装置１４へのルーティングを行う。これにより、緊急時には必要最小限のルーティングのみを実行し、効率よく、かつ速やかに、該当するプロジェクター１１及び音声出力装置１４へ緊急報知を指示するコマンドと、緊急報知の音声のデータとを送信できる。
【００３２】
音声出力制御部２１Ｅ（音声出力制御手段）は、緊急判定部２１Ｄが判定した優先度に対応するプロジェクター１１及び音声出力装置１４を、優先度データ２２Ｃを参照して決定し、これらのプロジェクター１１及び音声出力装置１４に対して、緊急報知を指示するコマンド及び緊急報知の音声のデータを送信するためのパケットを生成する。そして、音声出力制御部２１Ｅは、生成したパケットを、ルーティングコントロール部２１Ｂのルーティングに従って、各プロジェクター１１及び音声出力装置１４へ送信する。
緊急報知を指示するコマンドとは、ＩＰ電話機５８からＩＰルーティングサーバー２へ送信されるコマンドそのもの、或いは、このコマンドに基づいて音声出力制御部２１Ｅが生成する制御データである。また、コマンドを送信したＩＰ電話機５８の受話器に向かってユーザーが発話した音声が、緊急報知の音声としてＩＰ電話機５８からＩＰルーティングサーバー２に送信され、この音声のデータを音声出力制御部２１Ｅがプロジェクター１１及び音声出力装置１４へ送信する。従って、緊急報知を指示するユーザーは、ＩＰ電話機５８の受話器を上げてプッシュボタンを操作し、その後に発話すれば、その音声をプロジェクター１１及び音声出力装置１４から緊急報知の音声として出力させることができる。
【００３３】
また、優先度データ２２Ｃは、例えば、音声を出力するプロジェクター１１及び音声出力装置１４のＩＰアドレスと、これら各デバイスにより音声を出力させる優先度との対応を定義するデータであるが、各デバイスの動作状態と優先度とを対応づけるデータであっても良い。例えば、２番目に高い優先度に対し、音声を出力するデバイスを、「動作中のデバイス」と設定し、最も高い優先度に対して「停止中のデバイスを含めて全てのデバイス」を対応づけても良い。
【００３４】
音声出力制御部２１Ｅは、動作状態データ２２Ｅを参照して動作中のデバイスと停止中のデバイスを特定し、優先度データ２２Ｃに基づいて決定した緊急報知の対象であるデバイスが停止中である場合には、当該デバイスに対し、起動を指示するコマンドを含むパケットを送信する。プロジェクター１１は、後述するように外部から受信したコマンドに従って停止状態から起動する機能を有する。従って、音声出力制御部２１Ｅがコマンドを送信することで、停止中のデバイスから緊急報知の音声を出力させることができる。
【００３５】
一方、プロジェクター１１は、ＰＣやＤＶＤプレーヤー等の外部の画像供給装置に接続され、画像データが入力されるＩ／Ｆ（インターフェース）１０１を備えている。Ｉ／Ｆ１０１は、上述したようにＵＳＢインターフェース、有線または無線ＬＡＮインターフェース、ＨＤＭＩ（登録商標）規格に準拠したＨＤＭＩコネクター及びインターフェース回路を備えている。また、Ｉ／Ｆ１０１は、アナログ映像信号が入力されるＶＧＡ端子、デジタル映像信号が入力されるＤＶＩ（Digital Visual Interface）、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子、及び、これらの端子を介して信号を入出力するインターフェース回路を備えた構成としてもよい。
【００３６】
プロジェクター１１は、大きく分けて光学的な画像の形成を行う投射部３（表示手段）と、この投射部３に入力される画像信号を電気的に処理する画像処理系とからなる。投射部３は、照明光学系３１、液晶パネル等を備えた光変調装置３２、及び投射光学系３３から構成されている。照明光学系３１は、キセノンランプ、超高圧水銀ランプ、ＬＥＤ（Light Emitting Diode）等からなる光源を備えている。また、照明光学系３１は、光源が発した光を光変調装置３２に導くリフレクター及び補助リフレクターを備えていてもよく、投射光の光学特性を高めるためのレンズ群（図示略）、偏光板、或いは光源が発した光の光量を光変調装置３２に至る経路上で低減させる調光素子等を備えたものであってもよい。
【００３７】
光変調装置３２は、例えば透過型液晶パネルを備えて構成され、この液晶パネルに後述する画像処理系からの信号を受けて画像を形成する。この場合、光変調装置３２は、カラーの投影を行うため、ＲＧＢの三原色に対応した３枚の液晶パネルを備え、照明光学系３１からの光はＲＧＢの３色の色光に分離され、各色光は対応する各液晶パネルに入射する。各液晶パネルを通過して変調された色光はクロスダイクロイックプリズム等の合成光学系によって合成され、投射光学系３３に射出される。
【００３８】
なお、光変調装置３２は、３枚の透過型液晶パネルを用いた構成に限らず、例えば３枚の反射型の液晶パネルを用いることも可能であるし、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、光変調装置３２として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
【００３９】
投射光学系３３は、投射する画像の拡大・縮小および焦点の調整を行うズームレンズ、ズームの度合いを調整するズーム調整用モーター、フォーカスの調整を行うフォーカス調整用モーター等を備えている。投射光学系３３は、光変調装置３２で変調された入射光を、ズームレンズを用いてスクリーンＳＣ上に投射し、結像させる。
投射部３には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００４０】
画像処理系は、プロジェクター１１全体を統合的に制御する制御部１０３を中心に構成され、制御部１０３が処理するデータや制御部１０３が実行する制御プログラム１０５Ａを記憶した記憶部１０５（画像記憶手段）、操作パネル４５及びリモコン受光部４１を介した操作を検出する入力処理部１２３、Ｉ／Ｆ１０１から入力される入力画像を処理する画像処理部１１３、及び、画像処理部１１３から出力される画像信号に基づいて光変調装置３２を駆動して描画を行う光変調装置駆動部１１９を備えている。
【００４１】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、ユーザーが行った操作の内容を検出し、この操作に応じて画像処理部１１３、光変調装置駆動部１１９、投射光学系駆動部１２１及び光源駆動部１１７を制御して、投射部３によりスクリーンＳＣに画像を投射させる。
【００４２】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、ユーザーが使用するリモコン（図示略）を有する。リモコンは各種のボタンを備えており、これらのボタンの操作に対応して赤外線信号を送信する。プロジェクター１１の本体には、リモコンが発する赤外線信号を受光するリモコン受光部４１が配置されている。リモコン受光部４１は、リモコンから受光した赤外線信号をデコードして、リモコンにおける操作内容を示す操作信号を生成し、制御部１０３に出力する。
【００４３】
Ｉ／Ｆ１０１には、画像処理部１１３が接続されている。画像処理部１１３は、画像供給装置から入力された画像データを取得する。画像処理部１１３は、アナログ画像信号かデジタル画像データかの判別、デジタル画像データのデータフォーマットの識別等を行い、アナログ画像信号が入力された場合には、このアナログ入力信号をＡ／Ｄ変換してデジタル画像データを出力する。
画像処理部１１３は、入力画像の画像データを、光変調装置３２の液晶パネルの仕様に適合した解像度のデータに変換する解像度変換処理等を実行し、光変調装置３２により表示する表示用画像をフレームメモリー１１５に展開し、展開した表示用画像を光変調装置駆動部１１９に出力する。光変調装置駆動部１１９は、画像処理部１１３から入力される表示用画像に基づいて、光変調装置３２を駆動する。これにより、制御部１０３の制御によって、光変調装置３２に画像が描画され、この画像が投射光学系３３を介して、スクリーンＳＣ上に投射画像として投射される。
【００４４】
制御部１０３は、制御プログラム１０５Ａを実行することで表示制御部１０３Ａ、通信制御部１０３Ｂ、音声制御部１０３Ｃ、及び起動制御部１０３Ｄとして機能する。
表示制御部１０３Ａは、画像処理部１１３を制御して、Ｉ／Ｆ１０１に入力された画像データに基づく画像をフレームメモリー１１５に展開させるとともに、光変調装置駆動部１１９を制御して、フレームメモリー１１５に展開された画像を光変調装置３２の液晶パネルに描画させ、投射部３により投射させる。
【００４５】
制御部１０３には、通信部４７が接続されている。通信部４７は通信ネットワーク１７に接続され、制御部１０３の制御に従って、通信ネットワーク１７を介してデータを送受信する。通信制御部１０３Ｂは、通信ネットワーク１７を介してＩＰルーティングサーバー２から送信されるパケットを受信し、受信したパケットに緊急報知を指示するコマンドが格納されているかを判別する。受信したパケットが通常のパケットである場合、通信制御部１０３Ｂはパケットに格納されたデータを通常通り処理する。一方、受信したパケットに緊急報知を指示するコマンドが格納されている場合には、このデータを音声制御部１０３Ｃに出力して、音声制御部１０３Ｃにより緊急報知の動作を開始するとともに、その後に受信するパケットから緊急報知の音声データを取得する。
【００４６】
音声制御部１０３Ｃは、緊急報知を指示するコマンドが通信制御部１０３Ｂから入力された場合に、音声出力の動作を開始し、音声制御部１０３Ｃは音声出力回路１２５を制御して、音声出力回路１２５が内蔵するアンプのゲイン値等を設定し、その後に通信制御部１０３Ｂが取得した音声データに基づいてアナログ音声信号を生成して、音声出力回路１２５に出力する。これにより、スピーカー１２７（音声出力手段）から緊急報知の音声が出力される。
さらに、音声制御部１０３Ｃは、通信制御部１０３Ｂから入力されるデータに基づいて優先度を判定し、この優先度に対応づけて記憶部１０５に記憶された緊急表示データ１０５Ｂを取得する。緊急表示データ１０５Ｂは、緊急時にスクリーンＳＣに投射するための画像データであり、優先度毎に記憶部１０５に記憶されている。なお、一つの緊急表示データ１０５Ｂが複数の優先度に共通して使用されても良い。
【００４７】
起動制御部１０３Ｄは、プロジェクター１１の動作状態を制御し、例えばＩ／Ｆ１０１への画像の入力がない状態が、所定時間以上継続した場合に、プロジェクター１１をスリープ状態に移行させる。このスリープ状態では、通信部４７、リモコン受光部４１、操作パネル４５、制御部１０３及び記憶部１０５が動作し、他の機能部への電源供給が停止される。起動制御部１０３Ｄは、スリープ状態において通信制御部１０３Ｂが受信したパケットに、起動を指示するコマンドが含まれている場合には、スリープ状態から通常動作状態に復帰する。これにより、音声出力回路１２５への電源供給が開始され、音声制御部１０３Ｃの制御によりスピーカー１２７から音声が出力される。
【００４８】
音声出力装置１４は、通信ネットワーク１７に接続された通信部１４１と、通信部１４１により受信されたパケットに基づいて音声出力動作を制御する制御部１４２と、制御部１４２の制御に従ってスピーカー１４４を駆動し、音声を出力する音声変換回路１４３とを備えている。
通信部１４１は、制御部１４２が生成したパケットを通信ネットワーク１７を介して送信する一方、通信ネットワーク１７から受信したパケットを制御部１４２に出力する。制御部１４２は、音声出力装置１４の各部の動作状態を制御し、通常時は、通信部１４１及び制御部１４２のみ通電されるスリープ状態で待機している。制御部１４２は、通信部１４１が受信したパケットに緊急報知を指示するコマンドが格納されている場合に、スリープ状態から通常動作状態に復帰して、音声変換回路１４３及びスピーカー１４４への電力供給を開始させる。制御部１４２は、音声変換回路１４３が内蔵するアンプのゲイン値等を設定し、その後に通信部１４１が取得した音声データに基づいてアナログ音声信号を生成して、音声変換回路１４３に出力する。これにより、スピーカー１４４から緊急報知の音声が出力される。
【００４９】
図３は、報知システム１０の動作を示すフローチャートであり、（Ａ）はＩＰ電話機５８の動作を示し、（Ｂ）はＩＰルーティングサーバー２の動作を示し、（Ｃ）はプロジェクター１１の動作を示し、（Ｄ）は音声出力装置１４の動作を示す。
ＩＰ電話機５８のプッシュボタンの操作により、緊急報知指示のコマンドがＩＰ電話機５８からＩＰルーティングサーバー２へ送信される(ステップＳ１１）。続いて、ＩＰ電話機５８の受話器に対してユーザーが発話した音声が緊急報知の音声として取得され、この音声をデジタル化した音声データがＩＰルーティングサーバー２へ送信される（ステップＳ１２）。
【００５０】
ＩＰルーティングサーバー２の通信制御部２１Ａは、ＩＰ電話機５８から送信されたパケットを受信して、受信したパケットに含まれるコマンドを検出し（ステップＳ２１）、続いて音声データを含むパケットが送信された場合には、このパケットを受信して音声データを取得する（ステップＳ２２）。ここで、緊急判定部２１Ｄが、受信したパケットに含まれるコマンドが緊急報知を指示するコマンドであるか否かを判定する（ステップＳ２３）。受信したコマンドが緊急報知を指示するコマンドであって、緊急報知を要する場合（ステップＳ２３；Ｙｅｓ）、緊急判定部２１Ｄは、受信したコマンドに基づいて優先度を特定し（ステップＳ２４）、音声出力制御部２１Ｅが、優先度データ２２Ｃを参照して、特定された優先度に対応する送信先のデバイスに関する情報を取得する（ステップＳ２５）。次いで、ルーティングコントロール部２１Ｂが緊急用ルーティングテーブル２２Ｄを参照し、送信先のデバイスに対するルーティングを行う（ステップＳ２６）。
【００５１】
さらに、音声出力制御部２１Ｅは、動作状態データ２２Ｅを参照して、送信先のデバイスのうち停止中のものがあるか否かを判別し（ステップＳ２７）、この判別の結果をもとに緊急報知の音声を出力するデバイスを決定する（ステップＳ２８）。音声出力制御部２１Ｅは、緊急報知を指示するコマンドと音声データを送信するパケットを生成して、決定したデバイスに送信する（ステップＳ２９）。ここで、音声出力制御部２１Ｅは、停止中（スリープ状態）のデバイスに対して送信するコマンドには、緊急報知を指示するコマンドとは別に、スリープ状態からの復帰を指示するコマンドを含めてもよい。
【００５２】
プロジェクター１１の通信制御部１０３Ｂは、ＩＰルーティングサーバー２が送信したパケットを通信部４７によって受信し、受信したパケットから緊急報知を指示するコマンド、及び音声データを取得する（ステップＳ３１）。次いで、音声制御部１０３Ｃは、音声出力回路１２５を制御して、受信した音声データに基づく音声をスピーカー１２７から出力し（ステップＳ３２）、さらに、受信したコマンドが示す優先度に対応する画像を、投射部３によってスクリーンＳＣに投射する（ステップＳ３３）。
【００５３】
また、音声出力装置１４の制御部１４２は、ＩＰルーティングサーバー２が送信したパケットを通信部１４１によって受信し、受信したパケットから緊急報知を指示するコマンド、及び音声データを取得する（ステップＳ４１）。次いで、制御部１４２は、音声変換回路１４３を制御して、受信した音声データに基づく音声をスピーカー１４４から出力する（ステップＳ４２）。
【００５４】
以上説明したように、本発明を適用した実施形態に係る報知システム１０によれば、報知システム１０は、画像を投射（表示）する投射部３、及び音声を出力するスピーカー１２７をそれぞれ有する複数のプロジェクター１１と、複数のプロジェクター１１に通信ネットワーク１７を介して接続されたＩＰルーティングサーバー２とを備え、ＩＰルーティングサーバー２は、緊急報知の要否を判定する緊急判定部２１Ｄと、緊急判定部２１Ｄにより緊急報知を要すると判定された場合に、複数のプロジェクター１１のうち緊急報知を行うプロジェクター１１を選択し、選択したプロジェクター１１に報知音声を出力させる音声出力制御部２１Ｅとを備え、ＩＰルーティングサーバー２が、プロジェクター１１を選択して、選択したプロジェクター１１を識別して報知音声を出力させるので、例えば報知音声を出力させるプロジェクター１１の数を制限する等の制御を行うことによって、各プロジェクター１１に緊急を報知する動作を遅延なく実行させることができる。
【００５５】
また、ＩＰルーティングサーバー２は、複数のプロジェクター１１の動作状態を検出する動作状態監視部２１Ｃを備え、音声出力制御部２１Ｅは、動作状態監視部２１Ｃの検出結果に基づいて更新される動作状態データ２２Ｅをもとに、停止中のプロジェクター１１と、動作中のプロジェクター１１とを区別するので、報知音声を出力させるプロジェクター１１を効率よく選択することができ、システム全体の効率向上を図ることができる。
【００５６】
また、音声出力制御部２１Ｅは、停止中のプロジェクター１１を起動させて報知音声を出力させることができる。
或いは、音声出力制御部２１Ｅは、動作中のプロジェクター１１のみを対象として、報知音声を出力させることもでき、停止中のプロジェクター１１を除外することで効率的にプロジェクター１１を制御し、速やかに報知音声を出力させることができる。
【００５７】
また、プロジェクター１１は、ＩＰルーティングサーバー２の制御により報知音声を出力する際に緊急報知用の画像を表示するので、音声の出力とともに画像を表示して効果的に報知を行うことができる。さらに、プロジェクター１１は、予め緊急報知用の表示に用いる緊急表示データ１０５Ｂを記憶部１０５に記憶し、ＩＰルーティングサーバー２の制御により報知音声を出力する際に緊急表示データ１０５Ｂを読み出して表示するので、ＩＰルーティングサーバー２から画像等をプロジェクター１１に送信することなく、表示を用いて効果的に報知を行うことができる。
【００５８】
なお、上述した実施形態は本発明を限定するものではなく、上記実施形態とは異なる態様として本発明を適用することも可能である。例えば、上記実施形態では、ＩＰルーティングサーバー２、プロジェクター１１、音声出力装置１４、ＩＰ−ＰＢＸ５７、及びＩＰ電話機５８の各装置が通信ネットワーク１７に有線接続された構成を例に挙げて説明したが、本発明はこれに限定されず、無線通信方式によって各種データを送受信可能に接続した構成とすることも可能である。この場合、無線通信方式として、例えば無線ＬＡＮ、Bluetooth（登録商標）、ＵＷＢ、赤外線通信等の近距離無線通信方式や、携帯電話回線を利用した無線通信方式を採用することができる。
【００５９】
また、ＩＰルーティングサーバー２を他の装置とは別体として構成する必要はなく、例えば、ＩＰルーティングサーバー２の機能をプロジェクター１１に持たせる構成とすることも可能である。この場合、報知システム１０が有するプロジェクター１１のうち少なくとも一つが、その制御部１０３によってＩＰルーティングサーバー２の機能を実行し、あるいは、プロジェクター１１の筐体内にＩＰルーティングサーバー２として機能する制御部と記憶部とを備えた構成とすればよく、より具体的には制御部１０３の機能と制御部２１の機能とを一つのＣＰＵが複数のプログラムを実行することで実現できる。この構成では、プロジェクター１１が通信部４７を使用して、通信ネットワーク１７を介してＩＰ電話機５８からのコマンドを受信し、他のプロジェクター１１及び音声出力装置１４へ緊急報知を指示するコマンドを送信し、さらに自装置が有するスピーカー１２７から緊急報知用の音声を出力し、緊急報知用の画像をスクリーンＳＣに投射する。この構成によれば、上記実施形態と同様の効果を得ることができ、さらに、緊急報知用のサーバーを設ける必要がないという利点がある。
【００６０】
また、例えば、上記実施形態では、ＩＰ電話機５８を操作したユーザーが発話した音声を、緊急報知の音声として出力する構成について説明したが、本発明はこれに限定されるものではなく、ＩＰ電話機５８が予め緊急報知の音声データを記憶しておき、プッシュボタンの操作により当該音声データをＩＰルーティングサーバー２に送信する構成としてもよいし、ＩＰルーティングサーバー２が予め緊急報知用の音声データを記憶しておく構成としても良い。これらの場合、予め複数の音声データが記憶され、ＩＰ電話機５８が送信するコマンドによって、使用する音声データが指定される構成とすることができる。
また、上記実施形態では、ＩＰ電話機５８がコマンドを送信することにより緊急報知が行われる構成を例に挙げて説明したが、ＩＰ電話機５８に代えて、通信機能を有する他の装置を用いることも可能である。具体的には、ＰＨＳ等の簡易型携帯電話機を含む携帯電話機、データ通信機能を有する携帯型端末装置等を用いることができる。これらの装置は、通話機能または通信機能によってＩＰルーティングサーバー２にコマンドを送信することができればよい。すなわち、ＩＰルーティングサーバー２に送信されるコマンドが、デジタル符号化された制御データである場合、データ通信機能を有する装置であればどのような装置であってもＩＰ電話機５８の代わりに利用できる。
さらに、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ、ＯＥＬ等の有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが変調手段に相当する。
【００６１】
また、上記実施形態においてプロジェクター１１の記憶部１０５に記憶された制御プログラム１０５Ａ、及び、ＩＰルーティングサーバー２の記憶部２２に記憶された制御プログラム２２Ａを図示しない不揮発性メモリーが記憶する構成であってもよいし、可搬型の記録媒体に記憶されている構成であってもよく、或いは、ＩＰルーティングサーバー２が通信ネットワーク１７を介して接続された他の装置にダウンロード可能に記憶されていてもよい。
また、図２に示したＩＰルーティングサーバー２及びプロジェクター１１の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。例えば、ルーティングコントロール部２１ＢをＡＳＩＣで構成してもよく、このＡＳＩＣに接続された専用のメモリーに緊急用ルーティングテーブル２２Ｄやルーティングテーブルを格納する構成としてもよい。その他、報知システム１０の具体的な細部構成について、本発明の趣旨を逸脱しない範囲で任意に変更可能である。
【符号の説明】
【００６２】
２…ＩＰルーティングサーバー（制御装置）、３…投射部（表示手段）、１０…報知システム、１１…プロジェクター（表示装置）、１４…音声出力装置、１７…通信ネットワーク（通信回線）、２１…制御部、２１Ａ…通信制御部、２１Ｂ…ルーティングコントロール部、２１Ｃ…動作状態監視部(動作状態検出手段)、２１Ｄ…緊急判定部（判定手段）、２１Ｅ…音声出力制御部（音声出力制御手段）、２２…記憶部、２２Ａ…制御プログラム、２２Ｂ…デバイスＩＰアドレス、２２Ｃ…優先度データ、２２Ｄ…緊急用ルーティングテーブル、２２Ｅ…動作状態データ、２６…通信部、４７…通信部、５１…公衆回線網、５３…インターネット、５６…電話機、５７…ＩＰ−ＰＢＸ、５８…ＩＰ電話機、１０３…制御部、１０３Ａ…表示制御部、１０３Ｂ…通信制御部、１０３Ｃ…音声制御部、１０３Ｄ…起動制御部、１０５…記憶部（画像記憶手段）、１０５Ａ…制御プログラム、１０５Ｂ…緊急表示データ、１２５…音声出力回路、１２７…スピーカー（音声出力手段）、１４１…通信部、１４２…制御部、１４３…音声変換回路、１４４…スピーカー、ＳＣ…スクリーン。
【図１】
2013034050.tif 000003
【図２】
2013034050.tif 000004
【図３】
2013034050.tif 000005